(57)【特許請求の範囲】
【請求項１】
出力軸に装着され該出力軸と一体的に回転する円盤型ロータと、
前記円盤型ロータを収容するハウジングと、
前記円盤型ロータと回転軸方向に対向し、該円盤型ロータと対向する面と反対側の面が前記ハウジングに装着されたステータマグネットと、
前記円盤型ロータに圧接されたブラシと、
前記ハウジングと前記ステータマグネットとの間にフランジが挟まれることにより前記ハウジングに対して保持されると共に前記ハウジングの板厚方向に貫通形成された貫通孔に挿入され且つ前記ブラシを保持するブラシホルダ部と、前記ブラシホルダ部の前記ハウジングよりも前記ステータマグネットと反対側の部分に一体的に設けられ前記ブラシと外部電源とを電気的に接続するコネクタ部と、を有して構成されたコネクタ一体型ブラシホルダと、
前記貫通孔を閉塞すると共に前記貫通孔が形成された部分に前記ステータマグネットからの磁束を確保する磁束確保用プレートと、
を備えたことを特徴とする電動モータ。
【請求項２】
前記ブラシホルダ部と前記コネクタ部とは、樹脂による一体成形で構成されていることを特徴とする請求項１に記載の電動モータ。
【請求項３】
前記磁束確保用プレートは、前記フランジと前記ステータマグネットとの間に挟まれて保持されていることを特徴とする請求項１又は請求項２に記載の電動モータ。
【請求項４】
前記ブラシには、ピッグテールを介して接続部が接続され、
前記コネクタ一体型ブラシホルダには、前記ステータマグネット側に開口する空間部が設けられ、
前記コネクタ部は、前記空間部に設けられ前記接続部に接続される被接続部を備えることを特徴とする請求項１乃至請求項３のいずれか一項に記載の電動モータ。
【請求項５】
前記コネクタ部には、前記外部電源と接続される接続端子が設けられ、
前記接続端子は、モータ径方向に沿って延在されていることを特徴とする請求項１乃至請求項４のいずれか一項に記載の電動モータ。
【請求項６】
前記貫通孔の周縁部と前記フランジとの間には、シール部材が介挿され、
前記シール部材は、前記フランジが前記ステータマグネットによって前記ハウジング側へ押圧されることで前記貫通孔の周縁部と前記フランジとによって圧迫されていることを特徴とする請求項１乃至請求項５のいずれか一項に記載の電動モータ。
【請求項７】
前記出力軸には、ラジエータ冷却用のファンが装着されることを特徴とする請求項１乃至請求項６のいずれか一項に記載の電動モータ。
【発明の詳細な説明】
【技術分野】
【０００１】
本発明は、電動モータに係り、特に、ロータに例えばプリントコイル等を備えることにより薄型に構成された電動モータに関する。
【背景技術】
【０００２】
この種の電動モータとしては、次のものが知られている（例えば、特許文献１参照）。例えば、特許文献１に記載の電動ファンモータでは、ハウジング内にロータが回転可能に収容されており、ロータにはハウジング外に突出する出力軸が一体的に固定されている。また、ロータには、プリントコイルが同軸状に設けられており、このプリントコイルには、ブラシが圧接され該ブラシから電源が供給されるようになっている。ブラシは、ブラシホルダに収容されており、このブラシホルダは、ハウジングに形成された貫通孔に挿入固定されている。
【特許文献１】特開２０００−１５６５０６号公報
【発明の開示】
【発明が解決しようとする課題】
【０００３】
ところで、特許文献１に示される薄型の電動モータにおいて、ブラシと外部電源とをコネクタにより電気的に接続する、いわゆる直結コネクタ構造にしようとする試みがある。ここで、直結コネクタ構造を実現するためには、例えば、ハウジングとコネクタとを別体で構成し、このコネクタをハウジング上にリベット止めしたりアウトサート成型したりすることが考えられる。ところが、このようにすると、コネクタのハウジングへの固定構造が複雑となる。このため、特許文献１に示されるような薄型の電動モータにおいては、ブラシと外部電源とはリード線を介して電気的に接続されるのが一般的であり、いわゆる直結コネクタ構造化による低コスト化が図られていなかった。
【０００４】
本発明は、上記問題に鑑みてなされたものであって、その目的は、簡易な構成で直結コネクタ構造を実現することにより低コスト化を図ることが可能な電動モータを提供することにある。
【課題を解決するための手段】
【０００５】
前記課題を解決するために、請求項１に記載の発明の電動モータは、出力軸に装着され該出力軸と一体的に回転する円盤型ロータと、前記円盤型ロータを収容するハウジングと、前記円盤型ロータと回転軸方向に対向し、該円盤型ロータと対向する面と反対側の面が前記ハウジングに装着されたステータマグネットと、前記円盤型ロータに圧接されたブラシと、前記ハウジングと前記ステータマグネットとの間にフランジが挟まれることにより前記ハウジングに対して保持されると共に前記ハウジングの板厚方向に貫通形成された貫通孔に挿入され、且つ前記ブラシを保持するブラシホルダ部と、前記ブラシホルダ部の前記ハウジングよりも前記ステータマグネットと反対側の部分に一体的に設けられ前記ブラシと外部電源とを電気的に接続するコネクタ部と、を有して構成されたコネクタ一体型ブラシホルダと、前記貫通孔を閉塞すると共に前記貫通孔が形成された部分に前記ステータマグネットからの磁束を確保する磁束確保用プレートと、を備えたことを特徴とする。
【０００６】
請求項１に記載の電動モータにおいて、コネクタ一体型ブラシホルダは、ブラシを保持するブラシホルダ部と、ブラシと外部電源とを電気的に接続するためのコネクタ部とが一体的に設けられた構成である。従って、従来の如く、例えば、コネクタをハウジングと別体で構成し、且つ、このコネクタをハウジング上にリベット止めしたりアウトサート成型したりする必要が無い。しかも、このコネクタ一体型ブラシホルダをハウジングへ組み付けるための構造は、コネクタ一体型ブラシホルダのブラシホルダ部に形成されたフランジをハウジングとステータマグネットとの間に挟んでハウジングに保持するだけの簡易な構成である。このように、請求項１に記載の電動モータでは、ブラシと外部電源とをコネクタにより電気的に接続する、いわゆる直結コネクタ構造を簡易な構成で実現することができる。これにより、電動モータの低コスト化を図ることが可能となる。
また、上述のように、ハウジングにブラシホルダ部が挿入される貫通孔が貫通形成された場合でも、例えば、貫通孔を閉塞する磁束確保用プレートを備えることにより、ハウジングの貫通孔が形成された部分に磁気回路を形成することができ磁束を確保することができる。
【０００７】
このとき、請求項２に記載の発明のように、ブラシホルダ部とコネクタ部とが、樹脂による一体成形で構成されていると、コネクタ一体型ブラシホルダを容易に製造することができ、電動モータの更なる低コスト化を図ることが可能となる。
【０００９】
また、請求項３に記載の発明のように、この磁束確保用プレートの固定構造は、フランジとステータマグネットとの間に磁束確保用プレートを挟んで保持するだけの簡易な構成であるので、磁束確保用プレートを追加したことよる電動モータのコストの増加も抑えることができる。
【００１０】
また、請求項４に記載の発明のように、ブラシに、ピッグテールを介して接続部が接続され、コネクタ一体型ブラシホルダに、ステータマグネット側に開口する空間部が設けられ、コネクタ部が、空間部に設けられ接続部に接続される被接続部を備える構成とすると、例えば、電動モータの組立時に、空間部のステータマグネット側の開口から手や工具等を挿入してブラシ側の接続部とコネクタ部側の被接続部との接続作業を行うことができる。これにより、ブラシ側の接続部とコネクタ部側の被接続部との接続作業性向上による電動モータの低コスト化を図ることが可能となる。
【００１１】
また、請求項５に記載の発明のように、コネクタ部に、外部電源と接続される接続端子が設けられ、この接続端子が、モータ径方向に沿って延在された構成とすると、接続端子、ひいてはコネクタ部全体の回転軸方向の突出量を抑えることができる。これにより、電動モータの薄型化を図ることが可能となる。
【００１２】
また、請求項６に記載の発明のように、貫通孔の周縁部とフランジとの間に、シール部材が介挿され、このシール部材が、フランジがステータマグネットによってハウジング側へ押圧されることで貫通孔の周縁部とフランジとによって圧迫されていると、このシール部材によって、ブラシホルダ周りの防水性を確保、すなわち、貫通孔を介して外部からハウジングの内部に水滴等の異物が入り込むことを防止できる。
【００１３】
また、請求項７に記載の発明のように、本発明の電動モータを、例えば、ラジエータ冷却用のファンとして用いれば、電動モータの低コスト化により、ラジエータ冷却システム全体のコストも低減することができる。
【発明を実施するための最良の形態】
【００１４】
はじめに、図１乃至図４を参照しながら、本発明の一実施形態に係る電動ファンモータ１０の構成について説明する。
【００１５】
本実施形態の電動ファンモータ１０は、例えば、車両に搭載されるラジエータの冷却システムに好適に用いられるものである。電動ファンモータ１０には、図１に示されるように、ハウジング１２が備えられており、このハウジング１２は、ハウジング本体１４とエンドハウジング１６とで構成されている。このハウジング本体１４とエンドハウジング１６とは、図１に示されるように、ハウジング本体１４の内周面にエンドハウジング１６の外周面が例えば圧入されることにより組み付けられている。
【００１６】
ハウジング本体１４のエンドハウジング１６と反対側の部分の中央には、軸受収容部１８が形成されており、この軸受収容部１８には、軸受部材２０が収容されている。一方、エンドハウジング１６の中央にも、軸受収容部２２が形成されており、この軸受収容部２２には、軸受部材２４が収容されている。この軸受部材２０，２４には、出力軸２６が固定されており、これにより出力軸２６は回転自在となっている。出力軸２６の一端は、ハウジング本体１４に形成された開口部２８から外部に突出しており、この出力軸２６のハウジング本体１４から外部に突出した突出部３０には、図示しないラジエータ冷却用のファンが固定される。
【００１７】
エンドハウジング１６には、図１，図３に示されるように、後述するステータマグネット６２が装着される平面部３６が径方向に沿って形成されている。また、平面部３６の回転中心軸から径方向に離れた位置には、後述するコネクタ一体型ブラシホルダ４６のフランジ５４が挿入される挿入部３２が形成されている。この挿入部３２は、図１に示されるように、平面部３６の平面部分から一段下がるように平面部３６に凹設されており、この挿入部３２の中央位置には、コネクタ一体型ブラシホルダ４６のブラシホルダ部４７が挿入される貫通孔３４が板厚方向に貫通して形成されている。この貫通孔３４は、後述するように、フランジ５４を除くコネクタ一体型ブラシホルダ４６全体を貫通孔３４にステータマグネット６２側から挿入することができる孔径及び孔形状で構成されている。
【００１８】
円盤型ロータ（アーマチャ）３８は、ハウジング１２内に回転可能に収容されており、ロータ本体部４０とプリントコイル４２とによって構成されている。ロータ本体部４０の中央には、筒状の固定部４４が形成されており、この固定部４４には、出力軸２６が例えば圧入により固定されている。つまり、円盤型ロータ３８と出力軸２６は一体に回転する構成である。また、プリントコイル４２は、円板部材の表面に図示しない複数のコイルがプリントされた構成となっており、後述するブラシ５０から電源を供給されると図示しない各コイルから磁界を生じる構成となっている。このプリントコイル４２は、留め金部材４５により回転軸方向に押圧されてロータ本体部４０に組み付けられている。
【００１９】
コネクタ一体型ブラシホルダ４６は、ブラシホルダ部４７とコネクタ部４８とが一体に形成されたものである。このブラシホルダ部４７とコネクタ部４８とは、例えば、樹脂による一体成型で構成される。ブラシホルダ部４７には、回転軸方向に沿って延びステータマグネット６２側に開口する有底孔状のブラシ収容部４９が一対備えられている。各ブラシ収容部４９には、ブラシ５０及びスプリング５２がそれぞれ収容されている。各ブラシ５０は、スプリング５２の弾性力によってプリントコイル４２側にそれぞれ付勢されている。これにより、各ブラシ５０は、ブラシ収容部４９のステータマグネット６２側の開口から突出すると共にプリントコイル４２に圧接されている。
【００２０】
このブラシホルダ部４７は、ハウジング１２に形成された貫通孔３４に挿入されており、このブラシホルダ部４７の貫通孔３４よりもステータマグネット６２側の部分には、ブラシホルダ部４７の長手方向と直交する方向（つまりモータ径方向）に延びるフランジ５４が形成されている。このフランジ５４は、ブラシホルダ部４７を囲む形状に形成されている。そして、ブラシホルダ部４７は、図１に示されるように、エンドハウジング１６とステータマグネット６２との間にフランジ５４が挟まれることによりエンドハウジング１６に対して保持されている。
【００２１】
フランジ５４のステータマグネット６２側の面には、収容凹部６８が設けられており、この収容凹部６８には、貫通孔３４が形成された部分にステータマグネット６２からの磁束を確保するための磁束確保用プレート７０が収容されている。つまり、この磁束確保用プレート７０は、エンドハウジング１６と同様にアルミニウム等の非磁性金属で構成されており、図３に示されるように、回転軸方向から見て貫通孔３４の一部を閉塞するように配置されている。そして、この磁束確保用プレート７０は、図１に示されるように、フランジ５４とステータマグネット６２との間に挟まれて保持されている。
【００２２】
また、貫通孔３４の周縁部とフランジ５４との間には、シール部材としてのＯリング５６が介挿されている。このＯリング５６は、主として貫通孔３４を介してハウジング１２内に水滴等の異物が入り込むことを防止するためのもので、ブラシホルダ部４７を囲むようにフランジ５４の形状に沿って形成されている。また、フランジ５４のＯリング５６よりも外側には、Ｏリング５６の抜け（外れ）を防止する壁部５８がフランジ５４からＯリング５６側に突出して形成されている。
【００２３】
なお、この壁部５８は、その他にも、万が一にもＯリング５６からにじみ出た水分がハウジング１２内に入り込むことを防止して防水効果を高める機能や、Ｏリング５６が必要以上に潰れる前にエンドハウジング１６に当接してＯリング５６の必要以上の潰れを防止する機能等を果たしても良い。
【００２４】
また、ブラシホルダ部４７には、ブラシ収容部４９に隣接して空間部５５が設けられている。この空間部５５は、回転軸方向に沿って延びステータマグネット６２側に開口する有底の孔部で構成されている。空間部５５には、ブラシ５０に接続されたピッグテール５１が導かれており、このピッグテール５１の端部には、プラグ５３が接続されている。また、このプラグ５３は、次に説明するコネクタ部４８に設けられたソケット５７に接続されている。
【００２５】
コネクタ部４８は、図1，図２に示されるように、ブラシホルダ部４７のエンドハウジング１６よりもステータマグネット６２と反対側の部分に一体的に設けられている。このコネクタ部４８は、ブラシホルダ部４７の端部からモータ径方向に沿って延設されており、このコネクタ部４８には、図示しない外部電源からのコネクタが挿入される接続凹部６０が設けられている。この接続凹部６０のブラシホルダ部４７側の部分には、底壁を挟んで空間部５５が位置しており、この空間部５５の底部には、被接続部としてのソケット５７が設けられている。
【００２６】
ソケット５７には、図示しない外部電源からのコネクタの接続端子と接続される接続端子５９が設けられており、この接続端子５９は、ソケット５７からモータ径方向（回転軸方向と直角方向）に沿って外側に延出し、接続凹部６０の底壁を通過して接続凹部６０内に突出している。そして、本実施形態では、この接続端子５９、ソケット５７、プラグ５３、ピッグテール５１を介してブラシ５０と外部電源とが電気的に接続されるようになっている。なお、ピッグテール５１側にソケット５７を設け、空間部５５にプラグ５３を設けても良い。
【００２７】
ステータマグネット６２は、円盤型ロータ３８と回転軸方向に対向し、ステータマグネット６２の円盤型ロータ３８と対向する面と反対側の面は、図１に示されるように、エンドハウジング１６に形成された平面部３６に接着剤によって固定されている。また、ステータマグネット６２には、図４に示されるように、コネクタ一体型ブラシホルダ４６と対応する位置に、切欠固定部６４が形成されている。
【００２８】
この切欠固定部６４は、後述するようにステータマグネット６２によってコネクタ一体型ブラシホルダ４６をエンドハウジング１６に固定する際に、切欠固定部６４の周縁部がコネクタ一体型ブラシホルダ４６のフランジ５４を押圧すると共にブラシ収容部４９に収容されたブラシ５０をプリントコイル４２側に切欠固定部６４を介して貫通させるために設けられたものである。この切欠固定部６４は、切欠固定部６４の周縁部がフランジ５４を押圧できるようにフランジ５４よりも小さな寸法で形成されている。
【００２９】
そして、本実施形態では、ステータマグネット６２がエンドハウジング１６の平面部３６に接着剤により固定されることで、このステータマグネット６２の切欠固定部６４の周縁部によってフランジ５４がエンドハウジング１６側へ押圧されている。また、フランジ５４がエンドハウジング１６側へ押圧されることで、Ｏリング５６が貫通孔３４の周縁部とフランジ５４とによって圧迫されている。
【００３０】
続いて、以下に、上記構成からなる電動ファンモータ１０の組立工程において、エンドハウジング１６へのコネクタ一体型ブラシホルダ４６、Ｏリング５６、ステータマグネット６２、磁束確保用プレート７０の装着方法について説明する。
【００３１】
先ず、コネクタ一体型ブラシホルダ４６にＯリング５６を装着し、この状態で、エンドハウジング１６の貫通孔３４にステータマグネット６２側からコネクタ一体型ブラシホルダ４６のコネクタ部４８及びブラシホルダ部４７を順次挿入していき、コネクタ一体型ブラシホルダ４６のフランジ５４をエンドハウジング１６の挿入部３２に位置させる。このとき、Ｏリング５６が貫通孔３４の周縁部とフランジ５４とに接触するようにコネクタ一体型ブラシホルダ４６全体をエンドハウジング１６に仮装着する。
【００３２】
続いて、コネクタ一体型ブラシホルダ４６の収容凹部６８に磁束確保用プレート７０を収容する。また、コネクタ一体型ブラシホルダ４６のブラシ収容部４９にスプリング５２及びブラシ５０を順次挿入し、空間部５５のステータマグネット６２側の開口から手や工具等を挿入して、ブラシ５０側のプラグ５３をコネクタ部４８側のソケット５７に差し込んでプラグ５３とソケット５７との接続作業を行う。
【００３３】
そして、エンドハウジング１６の平面部３６にステータマグネット６２を接着剤により固定する。これにより、エンドハウジング１６とステータマグネット６２との間にフランジ５４が挟まれることでエンドハウジング１６に対してブラシホルダ部４７、ひいてはコネクタ一体型ブラシホルダ４６全体が保持される。また、フランジ５４の収容凹部６８に収容された磁束確保用プレート７０がフランジ５４とステータマグネット６２との間に挟まれて保持される。
【００３４】
また、上述の如く、ステータマグネット６２をエンドハウジング１６の平面部３６に接着により固定することで、このステータマグネット６２によってフランジ５４がエンドハウジング１６側へ押圧される。そして、このようにしてフランジ５４がエンドハウジング１６側へ押圧されることで、Ｏリング５６が貫通孔３４の周縁部とフランジ５４とによって圧迫される。
【００３５】
なお、本実施形態では、ステータマグネット６２をエンドハウジング１６の平面部３６に固定する接着剤がＯリング５６のフランジ５４を介してステータマグネット６２を押圧する反力によってクリープ破壊されることを防止するために、ステータマグネット６２のハウジング１２への吸引力がＯリング５６のフランジ５４を介してステータマグネット６２を押圧する反力よりも強く設定されている。
【００３６】
以上、エンドハウジング１６へのコネクタ一体型ブラシホルダ４６、Ｏリング５６、ステータマグネット６２、磁束確保用プレート７０の装着手順を説明したが、上記装着手順は、一例であって、各装着手順を入替できることは勿論である。
【００３７】
次に、上記構成からなる電動ファンモータ１０の作用について説明する。
【００３８】
本実施形態に係る電動ファンモータ１０において、コネクタ一体型ブラシホルダ４６は、ブラシ５０を保持するブラシホルダ部４７と、ブラシ５０と外部電源とを電気的に接続するためのコネクタ部４８とが一体的に設けられた構成である。従って、例えば、コネクタ部４８をエンドハウジング１６上にリベット止めしたりアウトサート成型したりする必要が無い。しかも、このコネクタ一体型ブラシホルダ４６をエンドハウジング１６へ組み付けるための構造は、コネクタ一体型ブラシホルダ４６のブラシホルダ部４７に形成されたフランジ５４をエンドハウジング１６とステータマグネット６２との間に挟んでエンドハウジング１６に保持するだけの簡易な構成である。このように、本実施形態に係る電動ファンモータでは、ブラシ５０と外部電源とをコネクタ部４８により電気的に接続する、いわゆる直結コネクタ構造を簡易な構成で実現することができる。これにより、電動ファンモータ１０の低コスト化を図ることが可能となる。つまり、設備費、部品点数、工数を低減させることが可能となる。
【００３９】
また、本実施形態に係る電動ファンモータ１０では、ブラシホルダ部４７とコネクタ部４８とが、樹脂による一体成形で構成されているので、コネクタ一体型ブラシホルダ４６を容易に製造することができる。これにより、電動ファンモータ１０の更なる低コスト化を図ることが可能となる。
【００４０】
また、上述のように、エンドハウジング１６にブラシホルダ部４７が挿入される貫通孔３４が貫通形成された場合でも、本実施形態のように、貫通孔３４を閉塞する磁束確保用プレート７０を備えることにより、エンドハウジング１６の貫通孔３４が形成された部分に磁気回路を形成（成立）することができ磁束を確保する（磁束の低減損失を防止する）ことができる。これにより、電動ファンモータ１０の高効率化を実現させることが可能となる。また、この磁束確保用プレート７０の固定構造は、フランジ５４とステータマグネット６２との間に挟んで保持するだけの簡易な構成であるので、磁束確保用プレート７０を追加したことよる電動ファンモータ１０のコストの増加も抑えることができる。
【００４１】
また、上述のように、金属製の磁束確保用プレート７０によって貫通孔３４を閉塞することにより、エンドハウジング１６において貫通孔３４を設けたことによる強度低下部分を補強することができる。これにより、エンドハウジング１６全体の強度も十分に確保される。
【００４２】
また、本実施形態に係る電動ファンモータ１０では、ブラシ５０に、ピッグテール５１を介してプラグ５３が接続され、コネクタ一体型ブラシホルダ４６に、ステータマグネット６２側に開口する空間部５５が設けられ、コネクタ部４８が、空間部５５に設けられプラグ５３に接続されるソケット５７を備える構成となっている。従って、例えば、電動ファンモータ１０の組立時に、上述のように、空間部５５のステータマグネット６２側の開口から手や工具等を挿入してブラシ５０側のプラグ５３とコネクタ部４８側のソケット５７との接続作業を行うことができる。これにより、プラグ５３とソケット５７との接続作業性向上による電動ファンモータ１０の低コスト化を図ることが可能となる。
【００４３】
また、空間部５５は、ステータマグネット６２側に開口するが、本実施形態では、Ｏリング５６により貫通孔３４を介してハウジング１２内に水滴等の異物が入り込むことが防止されるようになっているので、空間部５５の防水性も確保できる。
【００４４】
また、本実施形態に係る電動ファンモータ１０では、コネクタ部４８に、外部電源と接続される接続端子５９が設けられ、この接続端子５９が、モータ径方向に沿って延在された構成となっている。従って、接続端子５９、ひいてはコネクタ部４８全体の回転軸方向の突出量を抑えることができる。これにより、電動ファンモータ１０の薄型化を図ることが可能となる。
【００４５】
また、本実施形態の電動ファンモータ１０では、エンドハウジング１６とブラシホルダ部４７とが別体で構成されているので、エンドハウジング１６の加工（プレス加工）が容易となる。つまり、ブラシホルダ部４７は、耐久性を持たせるために一定のブラシ長が必要となる。このとき、一定のブラシ長を確保できる大きさのブラシホルダ部４７をエンドハウジング１６と一体に形成するようにすると、エンドハウジング１６からブラシホルダ部４７が突出するため加工が困難となる。しかしながら、本実施形態では、エンドハウジング１６とブラシホルダ部４７を別体で構成しているので、エンドハウジング１６の加工（プレス加工）が容易となる。
【００４６】
また、このとき、電動ファンモータ１０が例えばラジエータ冷却用のファンモータとして用いられた場合には、電動ファンモータ１０が被水環境下に置かれるため、エンドハウジング１６の貫通孔３４を介してハウジング１２内に水滴等の異物が入り込むことが予想される。
【００４７】
ところが、本実施形態の電動ファンモータ１０では、コネクタ一体型ブラシホルダ４６が、貫通孔３４よりもステータマグネット６２側にフランジ５４を備え、このフランジ５４と貫通孔３４の周縁部との間には、Ｏリング５６が介挿されている。また、Ｏリング５６は、フランジ５４がステータマグネット６２によってエンドハウジング１６側へ押圧されることで貫通孔３４の周縁部とフランジ５４とによって圧迫されている。従って、Ｏリング５６が貫通孔３４の周縁部とフランジ５４とによって圧迫されることにより、コネクタ一体型ブラシホルダ４６周りの防水性を確保、すなわち、貫通孔３４を介して外部からハウジング１２の内部に水滴等の異物が入り込むことを防止できる。
【００４８】
また、本実施形態の電動ファンモータ１０では、フランジ５４のＯリング５６よりも外側に、フランジ５４からＯリング５６側に突出する壁部５８が形成されている。従って、この壁部５８がＯリング５６の抜け防止の役割を果たすため、Ｏリング５６のフランジ５４の外側への移動が壁部５８によって防止される。これにより、ブラシホルダ部４７周りの防水性が低下することを防止できる。
【００４９】
さらに、本実施形態の電動ファンモータ１０では、ステータマグネット６２が、ハウジング１２に接着剤により固定されるようにしているので、ステータマグネット６２のハウジング１２への組み付けが容易となる。また、このときのステータマグネット６２のハウジング１２への吸引力は、Ｏリング５６のフランジ５４を介してステータマグネット６２を押圧する反力よりも強く設定されている。これにより、ステータマグネット６２をエンドハウジング１６の平面部３６に固定する接着剤が、Ｏリング５６のフランジ５４を介してステータマグネット６２を押圧する反力によってクリープ破壊されることを防止することができる。
【００５０】
また、本実施形態の電動ファンモータ１０では、上述のように、Ｏリング５６が貫通孔３４の周縁部とフランジ５４とによって圧迫されているので、Ｏリング５６の有する制振機能により、モータ回転時にブラシ５０がプリントコイル４２に摺接されることに伴うコネクタ一体型ブラシホルダ４６の振動を抑えて異音を防止することもできる。
【００５１】
以上詳述したように、本実施形態の電動ファンモータ１０は、防水性が確保されているのでラジエータ冷却用のファンモータとして好適に用いることができる。
【図面の簡単な説明】
【００５２】
【図１】本発明の一実施形態に係る電動ファンモータの断面図である。
【図２】本発明の一実施形態に係る電動ファンモータの分解図である。
【図３】本発明の一実施形態に係るコネクタ一体型ブラシホルダが装着されたエンドハウジングをステータマグネット側から見た図である。
【図４】本発明の一実施形態に係るコネクタ一体型ブラシホルダ及びステータマグネットが装着されたエンドハウジングをステータマグネット側から見た図である。
【符号の説明】
【００５３】
１０…電動ファンモータ（電動モータ）、１２…ハウジング、１４…ハウジング本体、１６…エンドハウジング、１８，２２…軸受収容部、２０，２４…軸受部材、２６…出力軸、２８…開口部、３０…突出部、３２…挿入部、３４…貫通孔、３６…平面部、３８…円盤型ロータ、４０…ロータ本体部、４２…プリントコイル、４４…固定部、４６…コネクタ一体型ブラシホルダ、４７…ブラシホルダ部、４８…コネクタ部、４９…ブラシ収容部、５０…ブラシ、５１…ピッグテール、５２…スプリング、５３…プラグ（接続部）、５４…フランジ、５５…空間部、５６…Ｏリング（シール部材）、５７…ソケット（被接続部）、５８…壁部、５９…接続端子、６０…接続凹部、６２…ステータマグネット、６４…切欠固定部、６８…収容凹部、７０…磁束確保用プレート
【図１】
0004714012.tif 000002
【図２】
0004714012.tif 000003
【図３】
0004714012.tif 000004
【図４】
0004714012.tif 000005